(57)【特許請求の範囲】
【請求項１】
操作レバーと、当該操作レバーの基部を一平面上で回動可能に保持する保持体と、
当該保持体を前記一平面と交差する他平面上で回動可能に支持する支持体と、
前記保持体の回動に伴い移動自在であり、ステアリングシャフトと共に第１の仮想回転軸を中心に回転するキャンセル突起の回転軌跡への進退動及び回動が可能なキャンセルレバーと
を有し、
前記キャンセルレバーが進退動する経路の延長線である第１の仮想直線から離れた位置に前記第１の仮想回転軸が位置しており、
前記キャンセルレバーが進退動する前記経路は、前記第１の仮想直線に沿った直線であり、
前記キャンセルレバーは、
前記キャンセル突起の回転軌跡に進退動して前記キャンセル突起と係合すると共に、第２の仮想回転軸を中心に回動可能であり、
前記キャンセルレバーの前記キャンセル突起との係合部は、前記第１の仮想回転軸と前記第２の仮想回転軸とを結ぶ第２の仮想直線に対して線対称に構成されている
入力操作装置。
【請求項２】
操作レバーと、当該操作レバーの基部を一平面上で回動可能に保持する保持体と、
当該保持体を前記一平面と交差する他平面上で回動可能に支持する支持体と、
前記保持体の回動に伴い移動自在であり、ステアリングシャフトと共に第１の仮想回転軸を中心に回転するキャンセル突起の回転軌跡への進退動及び回動が可能なキャンセルレバーと
を有し、
前記キャンセルレバーが進退動する経路の延長線である第１の仮想直線から離れた位置に前記第１の仮想回転軸が位置しており、
前記キャンセルレバーは、
前記キャンセル突起の回転軌跡に進退動して前記キャンセル突起と係合すると共に、第２の仮想回転軸を中心に回動可能であり、
前記キャンセルレバーの前記キャンセル突起との係合部は、前記第１の仮想回転軸と前記第２の仮想回転軸とを結ぶ第２の仮想直線に対して線対称に構成されている
入力操作装置。
【請求項３】
前記操作レバーは第３の仮想回転軸を中心に回動可能であり、
前記キャンセルレバーが前記進退動する経路の前記第１の仮想直線上に前記第３の仮想回転軸が位置する
請求項１または請求項２に記載の入力操作装置。
【請求項４】
操作レバーと、当該操作レバーの基部を一平面上で回動可能に保持する保持体と、
当該保持体を前記一平面と交差する他平面上で回動可能に支持する支持体と、
前記保持体の回動に伴い移動自在であり、ステアリングシャフトと共に第１の仮想回転軸を中心に回転するキャンセル突起の回転軌跡への進退動及び回動が可能なキャンセルレバーと
を有し、
前記キャンセルレバーが進退動する経路の延長線である第１の仮想直線から離れた位置に前記第１の仮想回転軸が位置しており、
前記操作レバーは第３の仮想回転軸を中心に回動可能であり、
前記キャンセルレバーが前記進退動する経路の前記第１の仮想直線上に前記第３の仮想回転軸が位置する
入力操作装置。
【請求項５】
前記キャンセルレバーが前記キャンセル突起の回転軌跡への進退動する方向の前記第１の仮想直線上に、前記キャンセルレバーと当接して前記操作レバーのキャンセル動作を駆動する駆動部が位置する
請求項１〜４のいずれかに記載の入力操作装置。
【請求項６】
操作レバーと、当該操作レバーの基部を一平面上で回動可能に保持する保持体と、
当該保持体を前記一平面と交差する他平面上で回動可能に支持する支持体と、
前記保持体の回動に伴い移動自在であり、ステアリングシャフトと共に第１の仮想回転軸を中心に回転するキャンセル突起の回転軌跡への進退動及び回動が可能なキャンセルレバーと
を有し、
前記キャンセルレバーが進退動する経路の延長線である第１の仮想直線から離れた位置に前記第１の仮想回転軸が位置しており、
前記キャンセルレバーが前記キャンセル突起の回転軌跡への進退動する方向の前記第１の仮想直線上に、前記キャンセルレバーと当接して前記操作レバーのキャンセル動作を駆動する駆動部が位置する
入力操作装置。
【請求項７】
前記支持体は、前記キャンセルレバーの前記進退動を案内する案内部を有する
請求項１〜６のいずれかに記載の入力操作装置。
【請求項８】
操作レバーと、当該操作レバーの基部を一平面上で回動可能に保持する保持体と、
当該保持体を前記一平面と交差する他平面上で回動可能に支持する支持体と、
前記保持体の回動に伴い移動自在であり、ステアリングシャフトと共に第１の仮想回転軸を中心に回転するキャンセル突起の回転軌跡への進退動及び回動が可能なキャンセルレバーと
を有し、
前記キャンセルレバーが進退動する経路の延長線である第１の仮想直線から離れた位置に前記第１の仮想回転軸が位置しており、
前記支持体は、前記キャンセルレバーの前記進退動を案内する案内部を有する
入力操作装置。
【請求項９】
前記キャンセルレバーは、第２の仮想回転軸を中心に回動可能であり、
前記キャンセルレバーは、
前記キャンセル突起の回転軌跡への進退動し、前記キャンセル突起と係合する第１の係合部と、
前記保持体に係合する第２の係合部と、
前記第１の係合部と前記第２の係合部とを前記第２の仮想回転軸方向に連結する連結部と
を有し、
前記案内部は、前記連結部を回動可能、且つ前記キャンセル突起の回転軌跡への進退動可能に挿通する案内長孔である
請求項７または請求項８に記載の入力操作装置。
【請求項１０】
前記操作レバーは、中立位置から少なくとも左折指示回動位置と右折指示回動位置に回動自在であり、
前記第１の係合部は、前記回転軌跡に向けて突出されて該回転軌跡に進退動し、
前記第２の係合部は、前記第１の係合部の突出方向とは反対方向に突出され、前記キャンセル突起の前記回転軌跡からの退動作時に回転して前記保持体に接触して前記操作レバーを前記左折指示回動位置または前記右折指示回動位置から前記中立位置に自動復帰させるように前記保持体を回転させる
請求項９に記載の入力操作装置。
【発明の詳細な説明】
【技術分野】
【０００１】
本発明は、中立位置から少なくとも回動自在な操作レバーを備える入力操作装置に関し、例えば、ステアリングを一方向に回動させた後、逆方向に回転させた際に、操作レバーが左折指示回動位置または右折指示回動位置から中立位置に自動的に復帰する機能を備えた入力操作装置に関する。
【背景技術】
【０００２】
入力操作装置の一つである 入力操作装置は、自動車の運転席に設けられるものであって、ステアリングコラムに取付けられたハウジングに、操作レバーを回動自在に設けてある。この操作レバーを中立位置から左折指示回動位置または右折指示回動位置に回動させることにより、左折または右折の指示ランプを点滅させることができるように、ハウジング内には操作レバーの回動に伴い駆動されるスイッチが設けられる。
【０００３】
操作レバーは、左折指示回動位置または右折指示回動位置においてラッチされるが、ステアリングを指示方向に回転させた後、逆方向に回転させることにより、左折指示回動位置または右折指示回動位置から中立位置に自動的に復帰させるキャンセル機構が、入力操作装置に設けられている。このようなキャンセル機構を備えた入力操作装置としては、例えば特許文献１に挙げるようなものがある。
【先行技術文献】
【特許文献】
【０００４】
【特許文献１】特開２０１２−１９５１０３号公報
【発明の概要】
【発明が解決しようとする課題】
【０００５】
上述した従来の入力操作装置では、ステアリングと一体に回転するキャンセルカムでキャンセルレバーを駆動することで操作レバーを初期位置へ復帰させる。当該入力操作装置では、キャンセルカムの回転軌跡に対してキャンセルレバーが進退動する方向の延長線上にキャンセルカムの回転中心が位置している。
そのため操作レバーからキャンセルカム、すなわちステアリングまでの距離を長くとる必要があり、操作レバーをステアリングに近づけることが困難である。
【０００６】
本発明の目的は、操作レバーとステアリングとの距離を近づけることができる入力操作装置を提供することである。
【課題を解決するための手段】
【０００７】
上述した従来技術の問題を解決するために、本発明の入力操作装置は、操作レバーと、当該操作レバーの基部を一平面上で回動可能に保持する保持体と、当該保持体を前記一平面と交差する他平面上で回動可能に支持する支持体と、前記保持体の回動に伴い移動自在であり、ステアリングシャフトと共に第１の仮想回転軸を中心に回転するキャンセル突起の回転軌跡への進退動及び回動が可能なキャンセルレバーとを有し、前記キャンセルレバーが進退動する経路の延長線である第１の仮想直線から離れた位置に前記第１の仮想回転軸が位置している。
【０００８】
この構成によれば、キャンセルレバーが進退動する経路の延長線である第１の仮想直線から離れた位置に第１の仮想回転軸が位置しているため、キャンセル突起を備えたキャンセルカム部材とキャンセルレバーとの距離を短くしても、キャンセルレバーの進退動の距離を十分に確保でき、小型化が可能になる。そのため、キャンセルカム部材と操作レバーとの距離を短くできる。
【０００９】
好適には本発明の入力操作装置の前記キャンセルレバーは、前記キャンセル突起の回転軌跡に進退動して前記キャンセル突起と係合すると共に、第２の仮想回転軸を中心に回動可能であり、前記キャンセルレバーの前記キャンセル突起との係合部は、前記第１の仮想回転軸と前記第２の仮想回転軸とを結ぶ第２の仮想直線に対して線対称に構成されている。
【００１０】
この構成によれば、キャンセルレバーの係合部を第２の仮想直線に対して線対称にしたことで、当該係合部が前記キャンセル突起に当接する状態を左右いずれの回転においても同じにでき、左右いずれの回転においてもキャンセル動作を確実に行うことができる。
【００１１】
好適には本発明の入力操作装置の前記操作レバーは第３の仮想回転軸を中心に回動可能であり、前記キャンセルレバーが前記進退動する経路の前記第１の仮想直線上に前記第３の仮想回転軸が位置する。
【００１２】
この構成によれば、キャンセル動作時において、左右いずれの回転においても同じ状態で前記キャンセルレバーが前記操作レバーを駆動できるので、左右いずれのキャンセル動作を確実に行う構成にできる。
【００１３】
好適には本発明の入力操作装置はでは、前記キャンセルレバーが前記キャンセル突起の回転軌跡への進退動する方向の前記第１の仮想直線上に、前記キャンセルレバーと当接して前記操作レバーのキャンセル動作を駆動する駆動部が位置する。
【００１４】
この構成によれば、キャンセル動作時において、左右いずれの回転においても同じ状態で前記キャンセルレバーが前記駆動部に当接するので、左右いずれの方向からでも前記操作レバーのキャンセル動作を確実に行う構成にできる。
【００１５】
好適には本発明の入力操作装置の前記支持体は、前記キャンセルレバーの前記進退動を案内する案内部を有する。
【００１６】
この構成によれば、前記支持体に前記保持体を支持する機能と、前記キャンセルレバーの進退動を案内する機能との双方を持たせることができ、部品点数を少なくできる。
【００１７】
好適には本発明の前記キャンセルレバーは、前記キャンセル突起の回転軌跡への進退動し、前記キャンセル突起と係合する第１の係合部と、前記保持体に係合する第２の係合部と、前記第１の係合部と前記第２の係合部とを前記回転軸方向に連結する連結部とを有し、前記案内部は、前記連結部を回動可能、且つ前記キャンセル突起の回転軌跡への進退動可能に、挿通する案内長孔である。
【００１８】
この構成によれば、キャンセルレバーを簡単な構成で、回動且つ進退動可能に案内する案内部を前記支持体に設けることができる。
【００１９】
好適には本発明の入力操作装置の前記操作レバーは、中立位置から少なくとも左折指示回動位置と右折指示回動位置に回動自在であり、前記第１の係合部は、前記回転軌跡に向けて突出されて該回転軌跡に進退動し、前記第２の係合部は、前記第１の係合部の突出方向とは反対方向に突出され、前記キャンセル突起の前記回転軌跡からの退動作時に回転して前記保持体に接触して前記操作レバーを前記左折指示回動位置または前記右折指示回動位置から前記中立位置に自動復帰させるように前記保持体を回転させる。
【００２０】
この構成によれば、前記キャンセルレバーの前記第１の係合部が前記キャンセル突起に係合すると、その動作に連動して前記第２の係合部が前記保持体を前記中立位置に確実に復帰させることができる。
【発明の効果】
【００２１】
本発明によれば、本発明の目的は、操作レバーとステアリングとの距離を近づけることができる入力操作装置を提供することができる。
【図面の簡単な説明】
【００２２】
【図１】本発明の実施形態に係わる入力操作装置及びキャンセルカム部材の外観斜視図である。
【図２】図１に示す入力操作装置をＺ２方向からＺ１方向に見た外観斜視図である。
【図３】図１及び図２に示す入力操作装置の分解斜視図である。
【図４】図２に示す入力操作装置の基板及び下ケース等を省略した外観斜視図である。
【図５】図１に示すＺ１からＺ２方向に見た入力操作装置の上ケースを省略した外観斜視図である。
【図６】図１に示すＺ２からＺ１方向に見た入力操作装置の上ケースと下ケースと基板とを省略した外観斜視図である。
【図７】図１に示すＹ１からＹ２方向に見た図１に示す入力操作装置の上ケースと下ケースとを省略した外観側面図である。
【図８】図３等に示すキャンセルレバーをＺ１からＺ２方向に見た平面図である。
【図９】図３等に示すキャンセルレバーをＹ１からＹ２方向に見た側面図である。
【図１０】図３等に示すキャンセルレバーをＺ２からＺ１方向に見た底面図である。
【図１１】操作レバーがロックされていない状態で操作レバーを右折指示位置にした状態を示す図である。
【図１２】図１１に示す状態に続いて、ステアリングを右に回動させた状態を示している。
【図１３】右折するために右に回動させたステアリングを左に回動させて戻す過程を示す図である。
【図１４】操作レバーがロックされていない状態で操作レバーを左折指示位置にした状態を示す図である。
【図１５】図１４に示す状態に続いて、ステアリングを左に回動させた状態を示している。
【図１６】左折するために左に回動させたステアリングを右に回動させて戻す過程を示す図である。
【図１７】図１３に示すように右折するために右に回動させたステアリングを左に回動させて戻す動作を開始するときに、操作レバーが指等でロックされている場合の動作を説明するための図である。
【図１８】図１６に示すように左折するために左に回動させたステアリングを右に回動させて戻す動作を開始するときに、操作レバーが指等でロックされている場合の動作を説明するための図である。
【発明を実施するための形態】
【００２３】
以下、本発明の実施形態を説明する。
本発明の実施形態について図面に沿って詳細に説明する。図１は、本発明の実施形態に係わる入力操作装置１及びキャンセルカム部材６の外観斜視図である。図２は、図１に示す入力操作装置１をＺ２方向からＺ１方向に見た外観斜視図である。図３は、図１及び図２に示す入力操作装置１の分解斜視図である。
【００２４】
図４は、図２に示す入力操作装置１の基板１９及び下ケース３３等を省略した外観斜視図である。図５は、図１に示すＺ１からＺ２方向に見た入力操作装置１の上ケース３０を省略した外観斜視図である。図６は、図１に示すＺ２からＺ１方向に見た入力操作装置１の上ケース３０と下ケース３３と基板１９とを省略した外観斜視図である。図７は、図１に示すＹ１からＹ２方向に見た図１に示す入力操作装置１の上ケース３０と下ケース３３とを省略した外観側面図である。
【００２５】
図３に示すように、入力操作装置１は、操作レバー７、ハウジング２、保持体３及びキャンセルレバー４等を有する。
ハウジング２は、上ケース３０及び下ケース（支持体）３３からなり、自動車のステアリングコラム内に取付けられ、保持体３を一平面と交差する他平面上で回動可能に支持する。
保持体３は、操作レバー７の基部２０を一平面上で回動可能に支持する。
【００２６】
キャンセルレバー４は、ハウジング２内に設けられて保持体３の回動に伴い移動自在であり、ステアリングシャフトと一体に第１の仮想回転軸Ｏ１を中心に回動するキャンセル突起６ａの回転軌跡への進退動及び回動が可能である。
操作レバー７は、ハウジング２から外方に突出されるように設けられて車内に露出している。
【００２７】
キャンセルレバー４は、図３及び図５に示すように下ケース３３に形成された案内長孔（案内部）３５に案内されてキャンセルカム部材６のキャンセル突起６ａの回転軌跡に進退動（図３，図５中Ｃ３，Ｃ４方向）する。このとき、キャンセルレバー４は、回動可能に案内されている（図３中Ｃ１，Ｃ２方向）。
また、キャンセルレバー４が進退動する経路の延長線である第１の仮想直線３５ａから離れた位置に第１の仮想回転軸Ｏ１が位置している。
これにより、キャンセルカム部材６とキャンセルレバー４との距離を短くしても、キャンセルレバー４の進退動の距離を十分に確保でき、小型化が可能になる。そのため、キャンセルカム部材６と操作レバー７との距離を短くできる。
【００２８】
操作レバー７は、図３中Ａ１〜Ａ４方向の４方向に回動操作可能である。Ａ１方向とＡ２方向は、一平面、すなわち、平面Ｐ１と平行な同一面内にあり、Ａ３方向とＡ４方向は、平面Ｐ１と交差する他平面、すなわち、平面Ｐ２と平行な同一面内にある。操作レバー７をＡ１方向またはＡ２方向に回動させると、左折指示位置または右折指示位置において操作レバー７がラッチされ、入力操作装置１からは左折指示または右折指示の出力がなされる。
【００２９】
入力操作装置１は、自動車のステアリングコラムに取付けられる。ステアリングシャフト（図示略）は操作レバー７が突出する側と反対側に配置され、入力操作装置１を構成するキャンセルレバー４が、操作レバー７の操作及びステアリング操作に伴って、ステアリングシャフトとともに動くキャンセルカム部材６と連動する。
【００３０】
操作レバー７のＡ３方向及びＡ４方向への回動操作については、操作方向に応じて任意の機能を割り当てることができる。例えば、Ａ４方向の回動操作についてはラッチ可能としてヘッドライトをハイビームに切替える機能を持たせ、Ａ３方向の回動操作についてはラッチせず自動復帰するようにして、操作中のみヘッドライトを点灯する機能を持たせることができる。
【００３１】
図３に示すように、操作レバー７は、根元側を構成してハウジング２内に納められる基部２０と、車内に露出して運転者に操作される操作部（図示せず）とを有している。
【００３２】
ハウジング２は、上ケース３０と下ケース３３とを一体化して構成され、内部には空間が形成される。ハウジング２内の空間に、操作レバー７の基部２０及び各種部品が納められる。ハウジング２内に納められる主な部品は、保持体３、キャンセルレバー４、カム部材５、駆動体１０及び揺動レバー１５である。
【００３３】
保持体３は、操作レバー７の基部２０を挿入でき、かつ、基部２０がカム部材５側において露出されるように形成された箱状の本体部４０を有する。本体部４０は、ステアリングシャフト側に突出する突出面部４１と、本体部４０の上面から突出する案内凸部４４とを有する。
【００３４】
案内凸部４４はハウジング２の上ケース３０に回動可能に支持される。ここで保持体３は、案内凸部４４を中心に回動可能にハウジング２に支持されているので、操作レバー７がＡ１方向又はＡ２方向に回動操作されると、保持体３の突出面部４１がＢ１方向又はＢ２方向に回動する。基部２０は、基部２０に形成される軸挿通部２０ｂと保持体３に形成される軸挿通部４８とに挿通されたシャフト２２を中心にして、保持体３に回動可能に支持される。したがって、操作レバー７をＡ３方向又はＡ４方向に回動操作すると、保持体３は回動せず、操作レバー７のみが回動する。
【００３５】
保持体３の突出面部４１の先端部の下面側に係合面部４２が形成されており、これがキャンセルレバー４に設けた係合突起５３と係脱する。その詳細については後述する。
また、図６に示すように、突出面部４１の下面（Ｚ２側の面）には、キャンセル動作時にキャンセルレバー４と係合する駆動部４１ａが設けられている。
【００３６】
図３に示すように、駆動体１０は、弾性部材１１を介して操作レバー７の基部２０の収納凹部（図示せず）に摺動可能に取付けられ、基部２０と対向して配置されるカム部材５に先端部１０ａが押し付けられるように弾性付勢されている。
駆動体１０は、先端部１０ａがカム部材５に案内され、操作レバー７の回動操作に伴い４方向に摺動する。すなわち、カム部材５の基部２０と対向するカム面部（図示せず）には、操作レバー７の操作方向に対応した十字状のカム溝（図示略）が形成されている。
【００３７】
当該カム溝は、操作レバー７の中立位置に対応する中央部が最も凹んでいて、中央部から周辺方向に向かって上る傾斜面となっている。駆動体１０は、カム溝に対して弾性的に押し付けられているので、操作レバー７が４方向のいずれかに回動操作されて先端部１０ａが傾斜面上にあるとき、弾性部材１１の弾性付勢力によって、操作レバー７は中立位置に自動復帰する方向に弾性付勢される。
【００３８】
また、キャンセルレバー４の上面には、第１の腕部５５ａ及び第２の腕部５５ｂの中間位置に係合突起５３が立設され形成されている。図３に示すように、キャンセルレバー４は、弾性部材１４を介して下ケース３３に取り付けられている。
【００３９】
図３及び図５に示すように、ハウジング２の下ケース３３には、図７に示すキャンセルレバー４の連結部５７を、ステアリングシャフト側、すなわち、キャンセル突起６ａの回動軌跡側へ向けて進退動可能に案内する案内長孔３５が形成されている。したがって、キャンセルレバー４は、連結部５７が案内長孔３５によってＣ３方向またはＣ４方向に進退動可能に案内されると共に、案内長孔３５における任意の位置で連結部５７を中心に図３中のＣ１方向またはＣ２方向に回動可能である。
【００４０】
キャンセルレバー４は、ハウジング２に取付けられる、例えばコイルばねからなる弾性部材１４により、ステアリングシャフトに向けて常時弾性付勢されている。
【００４１】
図３に示すように、ハウジング２を構成する下ケース３３には、揺動レバー１５から下方に延設された連係部１５ｂを挿通させるための開口部３４や、保持体３を回動方向に支持する案内凸部３７が形成されている。揺動レバー１５は、支軸部１５ａが保持体３の軸受け４５に揺動可能に支持される。したがって、操作レバー７が図１中のＡ３方向またはＡ４方向に回動操作されると、揺動レバー１５はＤ１方向またはＤ２方向に揺動する。
【００４２】
図３に示すように、連係部１５ｂは、下ケース３３の開口部３４の下方に配置される揺動部材１８に係合して揺動部材１８を揺動させる。揺動部材１８は、回動中心部１８ａが下ケース３３に揺動可能に支持され、円弧形状の被係合部１８ｃが連結部１５ｂに係合する。被係合部１８ｃの、回動中心部１８ａに対して反対側の端部に形成される突部（図示せず）は、第１スライダー１６に形成された長孔部１６ａ挿入される。したがって第１スライダー１６は、揺動レバー１５の揺動に伴って回動する揺動部材１８によって、図３中のＥ１方向とＥ２方向に沿ってスライド移動することができる。
【００４３】
図３に示すように、基板１９には、第１接点部１９ａと第２接点部１９ｂとが配置される。第１スライダー１６は、第１接点部１９ａに対して接触する接点（図示しない）を有する。揺動レバー１５のＤ１方向またはＤ２方向の揺動に伴いＥ１方向またはＥ２方向に沿って第１スライダー１６をスライド移動することにより、第１スライダー１６の接点と第１接点部１９ａとの接触状態を切り替えることができる。
【００４４】
図３に示すように、ハウジング２には、保持体３の回動に伴いスライドする第２スライダー１７が設けられる。図６及び図７に示すように、保持体３の下面に形成された連係ピン４３は、第２スライダー１７に形成される長孔部１７ａに挿通される。したがって、保持体３がＢ１方向またはＢ２方向に回動することで、第２スライダー１７は図３中のＦ２方向またはＦ１方向にスライド移動する。
【００４５】
第２スライダー１７には、第２接点部１９ｂに対して接触する接点（図示しない）が設けられており、Ｆ１方向またはＦ２方向にスライド移動することにより、第２接点部１９ｂとの接触状態を切り替えることができる。
【００４６】
図３に示すように、操作レバー７の基部２０のステアリングシャフト側（図中左側）には、弾性部材１１を介して駆動体１０が支持されている。操作レバー７の基部２０の先端部及び駆動体１０の先端部１０ａは、図３に示すように、保持体３からカム部材５に向けて突出している。そして、駆動体１０の先端部１０ａは、カム部材５のカム面部（図示せず）に当接している。
操作レバー７の姿勢に応じて駆動体１０の先端部１０ａが、カム部材５のカム面部に当接する位置によって、例えば、ヘッドライトのハイビームのオン／オフ、左折指示または右折指示が操作入力される。
【００４７】
ハウジング２を構成する下ケース３３には、キャンセルレバー４が、弾性部材１４を介して保持されている。このような構成によって、キャンセルレバー４がキャンセル突起６ａの回転軌跡への進退動及び回動を、より簡単な構成で確実に行うことができるので、入力操作装置１の信頼性を向上でき、かつ、さらなる小型化を図ることができる。
【００４８】
操作レバー７が中立位置にあるとき、キャンセルレバー４の上面に形成された係合突起５３と保持体３の係合面部４２とが係合している。係合突起５３と係合面部４２とは、それぞれの頂部同士が当接され、キャンセルレバー４は、弾性部材１４をさらに圧縮した状態でキャンセル突起６ａの回動軌跡外に退出されている。したがって、キャンセルレバー４は、キャンセル突起６ａの回動軌跡に向けてさらに大きな力で弾性付勢される。
【００４９】
［キャンセルレバー４］
以下、キャンセルレバー４について詳細に説明する。
図８は図３等に示すキャンセルレバー４をＺ１からＺ２方向に見た平面図、図９は図３等に示すキャンセルレバー４をＹ１からＹ２方向に見た側面図、図１０は図３等に示すキャンセルレバー４をＺ２からＺ１方向に見た底面図である。
【００５０】
キャンセルレバー４は、図６及び図７等に示す連結部５７の回転中心である第２の仮想回転軸Ｏ２を中心に回転自在に下ケース３３に装着されている。キャンセルレバー４は、中立位置から少なくとも左折指示回動位置と右折指示回動位置に回動自在である。
図８等に示すように、キャンセルレバー４は、第１の係合部５０、第２の係合部５５及び連結部５７を有する。
図３に示すように、キャンセルレバー４は、弾性部材１４を介して下ケース３３に取り付けられ、キャンセルカム部材６に向けて常時付勢されている。
【００５１】
第１の係合部５０は、キャンセル突起６ａの回転軌跡に向けて突出されて該回転軌跡に進退動してキャンセル突起６ａと係合する。
第２の係合部５５は、操作レバー７側に突出するように形成された第１の腕部５５ａ及び第２の腕部５５ｂを有し、保持体３と係合する。
【００５２】
連結部５７は、第２の仮想回転軸Ｏ２の方向に延びており、第１の係合部５０と第２の係合部５５とを連結する。すなわち、第１の係合部５０と第２の係合部５５とは、第２の仮想回転軸Ｏ２の方向における異なる位置に、第２の仮想回転軸Ｏ２の方向と直交する方向に重なり合って設けられている。これにより、キャンセルカム部材６とキャンセルレバー４との距離を短くしても、キャンセルレバー４の進退動の距離を十分に確保でき、小型化が可能になる。そのため、キャンセルカム部材６と操作レバー７との距離を短くできる。
【００５３】
キャンセルレバー４は、キャンセル動作時に、第２の仮想回転軸Ｏ２を中心に回転し、当該回転の過程で保持体３の突出面部４１の下面にある駆動部４１ａと係合（接触）して、操作レバー７を左折指示回動位置または前記右折指示回動位から中立位置に自動復帰させるように保持体３を回転させる。
【００５４】
また、キャンセルレバー４では、第２の係合部５５は第１の係合部５０に対して保持体３側に位置している。そのため、第２の係合部５５を保持体３に近く配置でき、第２の係合部５５と保持体３との係合構造を簡単な構成で小型に実現できる。
【００５５】
連結部５７は、図３及び図５に示すように下ケース３３に形成された案内長孔３５に案内されてキャンセルカム部材６のキャンセル突起６ａの回転軌跡に進退動する。このとき、連結部５７は、連結部５７を中心にキャンセルレバー４を回動可能に案内長孔３５で案内されている。
この構成によれば、案内長孔３５を下ケース３３に形成したことで、案内部を別途設ける必要がなく、小型化が可能になる。
【００５６】
また、図２に示すように、第１の係合部５０は、下ケース３３の外側に位置する。一方、第２の係合部５５は、ハウジング２内に収容されている。
上述したように連結部５７を案内する案内長孔３５を下ケース３３に設けたことで、簡単な構成で第１の係合部５０を下ケース３３の外側に設けることができる。また、第１の係合部５０を下ケース３３の外側に設けたことで、ハウジング２を小型化できる。
【００５７】
図５に示すように、キャンセルレバー４が進退動する経路（案内長孔３５の長手方向）の延長線である第１の仮想直線３５ａから離れた位置に第１の仮想回転軸Ｏ１が位置している。
これにより、キャンセルカム部材６とキャンセルレバー４との距離を短くしても、キャンセルレバー４の進退動の距離を十分に確保でき、小型化が可能になる。そのため、キャンセルカム部材６と操作レバー７との距離を短くできる。
【００５８】
また、図６に示すように、キャンセルレバー４の第１の係合部５０は、キャンセルカム部材６の第１の仮想回転軸Ｏ１と、キャンセルレバー４の第２の仮想回転軸Ｏ２とを結ぶ第２の仮想直線５０ａに対して線対称に構成にされている。
そのため、キャンセル動作時において、第１の係合部５０がキャンセル突起６ａに当接する状態を左右いずれの回転においても同じにでき、左右いずれの回転においてもキャンセル動作を確実に行うことができる。
【００５９】
また、図５に示すように、キャンセルレバー４が進退動する経路である案内長孔３５の中心軸である第１の仮想直線３５ａ上に、保持体３の第３の仮想回転軸Ｏ３が位置する
【００６０】
また、図６に示す中立位置において、キャンセル動作時にキャンセルレバー４の第２の係合部５５の第１の腕部５５ａ及び第２の腕部５５ｂと当接する保持体３の突出面部４１の駆動部４１ａが、第１の係合部５０が進退動する経路の延長線である第１の仮想直線３５ａ上に位置している。
そのため、キャンセル動作時において、左右いずれの回転においても同じ状態でキャンセルレバー４が、保持体３を介して操作レバー７を駆動できるので、左右いずれのキャンセル動作を確実に行う構成にできる。
【００６１】
図６及び図７等に示すように、第１の係合部５０は、その移動経路にキャンセル突起６ａが位置する中立状態においてキャンセル突起６ａに隙間をもって対向してキャンセル突起６ａの回転軌跡外に位置する。
【００６２】
一方、後述する図１２及び図１５等に示すように、第１の係合部５０は、その移動経路にキャンセル突起６ａが位置しない非中立状態においてキャンセル突起６ａの回転軌跡内に位置する。
そして、後述する図１３及び図１６等に示すように、非中立状態から中立状態になる際に、キャンセル突起６ａによって第１の係合部５０が押されて、キャンセルレバー４を回動させ、当該回動に連動して第２の係合部５５が保持体３を押して、保持体３（操作レバー７）を中立位置に復帰させる。
【００６３】
この構成によれば、キャンセルレバー４の第１の係合部５０がキャンセル突起６ａに係合すると、その動作に連動して第２の係合部５５が保持体３を中立位置に確実に復帰させることができる。
【００６４】
［キャンセルジャム防止機構］
操作後の操作レバー７を手等で保持（ロック）した状態（保持体３の回転が規制された状態）でステアリングが回転された場合に、キャンセルカム部材６とキャンセルレバー４との間に過負荷が生じて破損してしまうことを防止するキャンセルジャム防止機構を説明する。
【００６５】
図６等に示すように、キャンセルレバー４の第１の係合部５０には、キャンセルジャム防止機構８５が設けられている。
キャンセルジャム防止機構８５は、操作レバー７により保持体３の回動が規制された状態で、キャンセルカム部材６が回転してキャンセル突起６ａからキャンセルレバー４が回転力を受けた場合に、キャンセルレバー４をキャンセル突起６ａの回転軌跡から退く方向に移動させる。
【００６６】
本実施形態では、キャンセルジャム防止機構８５を保持体３ではなく、キャンセルレバー４に設けたことで、保持体３の構成を簡単且つ小さくできる。また、保持体３に比べて、ハウジング２の外部に近接して位置するキャンセルレバー４に上述したキャンセルジャム防止機構８５を設けたことで組み立て性を高め、製造コストを抑えることができる。
【００６７】
図４，図６，図１０等に示すように、キャンセルジャム防止機構８５は、第１の係合部５０に設けられ、例えば、弾性部材９１及び移動体９３を有する。
キャンセルジャム防止機構８５は、第１の係合部５０の図３に示すＺ２側の面に形成された収容空間５０ｂに、移動体９３の先端をキャンセルカム部材６に向けて突出させた状態で、移動体９３（キャンセル突起との係合部）が摺動可能に収容されている。
【００６８】
キャンセルジャム防止機構８５の移動体９３は、弾性部材９１を介して第１の係合部５０（キャンセルレバー本体）に組み込まれている。
【００６９】
操作レバー７が指などで固定（ロック）されて保持体３の回動が規制されている状態で、右折又は左折後にステアリングが元の状態に戻されてキャンセル突起６ａの回転軌跡内に位置する第１の係合部５０にキャンセル突起６ａが当接して回転力が付与されると、移動体９３が弾性部材９１の弾性力に抗してキャンセル突起６ａの回転軌跡から退く方向に移動する。
このように、移動体９３を弾性部材９１を介して第１の係合部５０に保持することでキャンセルジャム防止機構８５を実現するため、キャンセルジャム防止機構８５を実現するユニットを予めキャンセルレバー４に組み込むことができ、組み立て性を高め、製造コストを抑えることができる。
【００７０】
また、図１０等に示すように、移動体９３は、収容空間５０ｂにスナップイン機構により組み込まれている。そのため、組み立て性を高め、製造コストを抑えることができる。
【００７１】
以下、入力操作装置１の動作例を説明する。
図６及び図１１〜図１８は、入力操作装置１を図３に示すＺ２側から見たキャンセルカム部材６、キャンセルレバー４、保持体３及び操作レバー７の位置関係を説明するための図である。各図は入力操作装置１をＺ２側、すなわち裏側から見ているため、図中に表示されている矢印の向きは説明文とは左右が逆向きに表示されている。
前述したように、図６は操作レバー７が中立位置にある状態を示している。
【００７２】
［通常動作（右折時）］
以下、操作レバー７がロックされていない状態での右折時の入力操作装置１の動作を説明する。
図１１は操作レバー７を右折指示位置にした状態を示している。図１２は、図１１に示す状態に続いて、ステアリングを右に回動させた状態を示している。図１３は、右折するために右に回動させたステアリングを左に回動させて戻す過程を示す図である。
【００７３】
図１１に示すように、右折をするために操作者が指等で操作レバー７を矢印Ａ２の向きに回動させる。これにより、操作レバー７と連動して保持体３の駆動部４１ａがキャンセルレバー４の第２の腕部５５ｂに近接する。図１１に示す状態では、キャンセルレバー４の第１の係合部５０の移動体９３がキャンセルカム部材６のキャンセル突起６ａに当接しており、移動体９３はキャンセル突起６ａの回転軌跡外に位置している。
【００７４】
次に、図１２に示すように、ステアリングを右に回動させると、キャンセルカム部材６は図中矢印Ｒ１の向きに回動する。これにより、キャンセル突起６ａがキャンセルレバー４が進退動する経路から外れ、図３に示す弾性部材１４の付勢力により、キャンセルレバー４が案内長孔３５に沿ってキャンセルカム部材６に向けて矢印Ｐの方向に移動し、移動体９３がキャンセル突起６ａの回転軌跡内に位置する。
【００７５】
次に、図１３に示すように、右折するために右に回動させたステアリングを左に回動させて戻すと、キャンセルカム部材６は図中矢印Ｒ２の向きに回動する。この過程で、キャンセル突起６ａの端部が、移動体９３の側面を矢印Ｒ２の向きに押圧し、キャンセルレバー４を第２の仮想回転軸Ｏ２を中心に図中矢印Ｒ３の向きに回動させる。これにより、第２の腕部５５ｂが駆動部４１ａを矢印Ｒ５の向きに押圧し、操作レバー７を仮想回転軸Ｏ３を中心に図中矢印Ａ１の向きに回動して図６に示す中立位置に復帰させる。
【００７６】
［通常動作（左折時）］
以下、操作レバー７がロックされていない状態での左折時の入力操作装置１の動作を説明する。
図１４は操作レバー７を左折指示位置にした状態を示している。図１５は、図１４に示す状態に続いて、ステアリングを左に回動させた状態を示している。図１５は、左折するために左に回動させたステアリングを右に回動させて戻す過程を示す図である。
【００７７】
図１４に示すように、左折をするために操作者が指等で操作レバー７を矢印Ａ１の向きに回動させる。これにより、操作レバー７と連動して保持体３の駆動部４１ａがキャンセルレバー４の第１の腕部５５ａに近接する。図１４に示す状態では、キャンセルレバー４の第１の係合部５０の移動体９３がキャンセルカム部材６のキャンセル突起６ａに当接しており、移動体９３はキャンセル突起６ａの回転軌跡外に位置している。
【００７８】
次に、図１５に示すように、ステアリングを左に回動させると、キャンセルカム部材６は図中矢印Ｒ２の向きに回動する。これにより、キャンセル突起６ａがキャンセルレバー４が進退動する経路から外れ、図３に示す弾性部材１４の付勢力により、キャンセルレバー４が案内長孔３５に沿ってキャンセルカム部材６に向けて矢印Ｐの方向に移動し、移動体９３がキャンセル突起６ａの回転軌跡内に位置する。
【００７９】
次に、図１６に示すように、左折するために左に回動させたステアリングを右に回動させて戻すと、キャンセルカム部材６は図中矢印Ｒ１の向きに回動する。この過程で、キャンセル突起６ａの端部が、移動体９３の側面を矢印Ｒ１の向きに押圧し、キャンセルレバー４を第２の仮想回転軸Ｏ２を中心に図中矢印Ｒ４の向きに回動させる。これにより、第１の腕部５５ａが駆動部４１ａを矢印Ｒ６の向きに押圧し、操作レバー７を仮想回転軸Ｏ３を中心に図中矢印Ａ２の向きに回動して図６に示す中立位置に復帰させる。
【００８０】
［ロック状態の動作（右折時）］
以下、図１３に示すように、右折するために右に回動させたステアリングを左に回動させて戻す動作を開始するときに、操作レバー７が指等でロックされている場合の動作を図１７等を用いて説明する。
図１３に示すように、右折するために右に回動させたステアリングを左に回動させて戻すと、キャンセルカム部材６は図１３中矢印Ｒ２の向きに回動する。この過程で、キャンセル突起６ａの端部が、移動体９３の側面を矢印Ｒ２の向きに押圧するが、操作レバー７がロックされているので保持体３は回動しない。そのため、キャンセルレバー４は回動しなく、移動体９３の側面にキャンセル突起６ａから一定以上の押圧力が加わる。
【００８１】
これにより、弾性部材９１が押圧されて縮み、図１７に示すように移動体９３が弾性部材９１の弾性力に抗して矢印Ｑの向き（弾性部材９１の向き、キャンセル突起６ａの回転軌跡から退く向き）に移動し、キャンセル突起６ａの回転軌跡から外れてキャンセルカム部材６が回転する。
この構成によれば、右折時に操作レバー７がロックされた場合でも、キャンセルカム部材６とキャンセルレバー４との間に過負荷が生じて破損してしまうことを防止できる。
【００８２】
［ロック状態の動作（左折時）］
以下、図１６に示すように、左折するために左に回動させたステアリングを右に回動させて戻す動作を開始するときに、操作レバー７が指等でロックされている場合の動作を図１８等を用いて説明する。
図１６に示すように、左折するために左に回動させたステアリングを右に回動させて戻すと、キャンセルカム部材６は図１６中矢印Ｒ１の向きに回動する。この過程で、キャンセル突起６ａの端部が、移動体９３の側面を矢印Ｒ１の向きに押圧するが、操作レバー７がロックされているので保持体３は回動しない。そのため、キャンセルレバー４は回動しなく、移動体９３の側面にキャンセル突起６ａから一定以上の押圧力が加わる。
【００８３】
これにより、弾性部材９１が押圧されて縮み、図１８に示すように移動体９３が弾性部材９１の弾性力に抗して矢印Ｑの向き（弾性部材９１の向き、キャンセル突起６ａの回転軌跡から退く向き）に移動し、キャンセル突起６ａの回転軌跡から外れてキャンセルカム部材６が回転する。
この構成によれば、左右折時に操作レバー７がロックされた場合でも、キャンセルカム部材６とキャンセルレバー４との間に過負荷が生じて破損してしまうことを防止できる。
【００８４】
以上説明したように、入力操作装置１では、図５に示すように、キャンセルレバー４が進退動する経路（案内長孔３５の長手方向）の延長線である第１の仮想直線３５ａから離れた位置に第１の仮想回転軸Ｏ１が位置している。
これにより、キャンセルカム部材６とキャンセルレバー４との距離を短くしても、キャンセルレバー４の進退動の距離を十分に確保でき、小型化が可能になる。そのため、キャンセルカム部材６と操作レバー７との距離を短くできる。
【００８５】
また、入力操作装置１では、図６に示すように、キャンセルレバー４の第１の係合部５０は、キャンセルカム部材６の第１の仮想回転軸Ｏ１と、キャンセルレバー４の第２の仮想回転軸Ｏ２とを結ぶ第２の仮想直線５０ａに対して線対称に構成にされている。
そのため、キャンセル動作時において、第１の係合部５０がキャンセル突起６ａに当接する状態を左右いずれの回転においても同じにでき、左右いずれの回転においてもキャンセル動作を確実に行うことができる。
【００８６】
また、入力操作装置１では、図６に示す中立位置において、キャンセル動作時にキャンセルレバー４の第２の係合部５５の第１の腕部５５ａ及び第２の腕部５５ｂと当接する保持体３の突出面部４１の駆動部４１ａが、第１の係合部５０が進退動する経路の延長線である第１の仮想直線３５ａ上に位置している。
そのため、キャンセル動作時において、左右いずれの回転においても同じ状態でキャンセルレバー４が、保持体３を介して操作レバー７を駆動できるので、左右いずれのキャンセル動作を確実に行う構成にできる。
【００８７】
また、入力操作装置１では、キャンセルレバー４は、第２の仮想回転軸Ｏ２の方向の延びる連結部５７で第１の係合部５０と第２の係合部５５とを連結して構成される。すなわち、第１の係合部５０と第２の係合部５５とは、第２の仮想回転軸Ｏ２の方向における異なる位置に、第２の仮想回転軸Ｏ２の方向と直交する方向に重なり合って設けられている。これにより、キャンセルカム部材６とキャンセルレバー４との距離を短くしても、キャンセルレバー４の進退動の距離を十分に確保でき、小型化が可能になる。そのため、キャンセルカム部材６と操作レバー７との距離を短くできる。
【００８８】
入力操作装置１では、キャンセルレバー４の第２の係合部５５は第１の係合部５０に対して保持体３側に位置している。そのため、第２の係合部５５を保持体３に近く配置でき、第２の係合部５５と保持体３との係合構造を簡単な構成で小型に実現できる。
【００８９】
また、入力操作装置１では、キャンセルレバー４の連結部５７は、図３及び図５に示すように下ケース３３に形成された案内長孔３５に案内されてキャンセルカム部材６のキャンセル突起６ａの回転軌跡に進退動する。このとき、連結部５７は、連結部５７を中心にキャンセルレバー４を回動可能に案内長孔３５で案内されている。
このように案内長孔３５を下ケース３３に形成したことで、案内部を別途設ける必要がなく、小型化が可能になる。
【００９０】
また、入力操作装置１によれば、上述したように連結部５７を案内する案内長孔３５を下ケース３３に設けたことで、簡単な構成で第１の係合部５０を下ケース３３の外側に設けることができる。また、第１の係合部５０を下ケース３３の外側に設けたことで、ハウジング２を小型化できる。
【００９１】
また、入力操作装置１では、図６等に示すように、キャンセルジャム防止機構８５を保持体３ではなく、キャンセルレバー４に設けたことで、保持体３の構成を簡単且つ小さくできる。また、保持体３に比べて、ハウジング２の外部に近接して位置するキャンセルレバー４に上述したキャンセルジャム防止機構８５を設けたことで組み立て性を高め、製造コストを抑えることができる。
このように、移動体９３を弾性部材９１を介して第１の係合部５０に保持することでキャンセルジャム防止機構８５を実現するため、キャンセルジャム防止機構８５を実現するユニットを予めキャンセルレバー４に組み込むことができ、組み立て性を高め、製造コストを抑えることができる。
【００９２】
また、図１０等に示すように、入力操作装置１では、移動体９３は、収容空間５０ｂにスナップイン機構により組み込まれている。そのため、組み立て性を高め、製造コストを抑えることができる。
【００９３】
本発明は上述した実施形態には限定されない。
すなわち、当業者は、本発明の技術的範囲またはその均等の範囲内において、上述した実施形態の構成要素に関し、様々な変更、コンビネーション、サブコンビネーション、並びに代替を行ってもよい。
【００９４】
上述した実施形態では、キャンセルレバー４にキャンセルジャム防止機構８５を設けた場合を例示したが、キャンセルジャム防止機構を保持体３に設けてもよい。
また、上述した実施形態では、図７に示すように、第１の係合部５０と第２の係合部５５とが第２の仮想回転軸Ｏ２の異なる位置に設けた場合を例示したが、同一の位置に設けてもよい。
【００９５】
また、上述した実施形態では、本発明の入力操作装置の一例として入力操作装置１を例示したが、操作レバーと、該操作レバーの基部を一平面上で回動可能に支持する保持体と、該保持体を前記一平面と交差する他平面上で回動可能に支持するハウジングと、該ハウジング内に設けられて、前記保持体の回動に伴い移動自在であり、ステアリングシャフトに設けたキャンセル突起の回転軌跡への進退動及び回動が可能なキャンセルレバーとを有するその他の入力操作装置にも本発明は適用可能である。
【産業上の利用可能性】
【００９６】
本発明は操作レバーを備えた入力操作装置に適用可能である。
【符号の説明】
【００９７】
１…入力操作装置
２…ハウジング
３…保持体
４…キャンセルレバー
５…カム部材
６…キャンセルカム部材
６a…キャンセル突起
７…操作レバー
１０…駆動体
１０ａ…先端部
１１…弾性部材
１４…弾性部材
２０…基部
３０…上ケース
３３…下ケース（支持体）
３５…案内長孔（案内部）
３５ａ…第１の仮想直線
４０…本体部
４１…突出面部
４３…連係ピン
５０…第１の係合部
５０ａ…第２の仮想直線
５３…係合突起
５５…第２の係合部
５５ａ…第１の腕部
５５ｂ…第２の腕部
５７…連結部
８５…キャンセルジャム防止機構
９１…弾性部材
９３…移動体（キャンセル突起との係合部）
Ｏ１…第１の仮想回転軸
Ｏ２…第２の仮想回転軸
Ｏ３…第３の仮想回転軸
【図１】
0006765839.tif 000002
【図２】
0006765839.tif 000003
【図３】
0006765839.tif 000004
【図４】
0006765839.tif 000005
【図５】
0006765839.tif 000006
【図６】
0006765839.tif 000007
【図７】
0006765839.tif 000008
【図８】
0006765839.tif 000009
【図９】
0006765839.tif 000010
【図１０】
0006765839.tif 000011
【図１１】
0006765839.tif 000012
【図１２】
0006765839.tif 000013
【図１３】
0006765839.tif 000014
【図１４】
0006765839.tif 000015
【図１５】
0006765839.tif 000016
【図１６】
0006765839.tif 000017
【図１７】
0006765839.tif 000018
【図１８】
0006765839.tif 000019